(57)【要約】  【課題】チリ取り本体とゴミ袋の２つの部品のみで構成すると共に、チリ取り本体にゴミ袋を簡単に着脱することができるようなチリ取り装置を実現する。  【解決手段】チリ取り本体１の開口部５の裏面側からゴミ袋１２の開口部分を覆い部４に被せ、該ゴミ袋１２の開口部分をチリ取り本体１の前面側へ引き出し、掃き入れ口２で内側に折り曲げる。また、ゴミ袋１２の開口部分の左右と上部の縁は、門型把体６の右枠体６ａと右狭持片１０ａ、左枠体６ｂと左狭持片１０ｂ、及び覆い部４の上部前縁４ａと上部狭持片１０ｃにより侠持する。これによりゴミ袋１２の開口部分の下面は掃き入れ口２から底板３へ折れ曲がり、ゴミ袋１２の開口部分の３箇所の縁がチリ取り本体１に固定される。これによって、ゴミ袋１２はチリ取り本体１の開口部５から奥部へ通じた状態となるので、掃き入れ口２から掃き込まれたゴミはゴミ袋１２の内部へ収集される。【選択図】図２
2011147568.tif 000002
【特許請求の範囲】
【請求項１】
チリ取り本体に対してゴミ袋が着脱可能なチリ取り装置であって、
前記チリ取り本体は、掃き入れ口から奥部へ延びる底板及び該底板を覆う覆い部の後部に開口部が形成され、且つ、前記覆い部の左右の外壁面から垂直に延びて形成された門型把体の右枠体及び左枠体の中間部分にそれぞれ取り付けられたピンを支点として、前記右枠体及び左枠体を挟むように回動する右挟持片及び左挟持片と、前記覆い部の上部前縁に取り付けられたピンを支点として該上部前縁を挟むように回動する上部挟持片とを備え、
前記ゴミ袋が前記チリ取り本体の裏面側から前記覆い部を覆ったとき、前記チリ取り本体の掃き入れ口は、前記開口部を経由して前記ゴミ袋の奥部へ通じると共に、該ゴミ袋の開口部分は、前記右挟持片、前記左挟持片、及び前記上部挟持片の３箇所で挟持されるように構成されたことを特徴とするチリ取り装置。
【請求項２】
チリ取り本体に対してゴミ袋が着脱可能なチリ取り装置であって、
前記チリ取り本体は、掃き入れ口から奥部へ延びる底板及び該底板を覆う覆い部の後部に開口部が形成され、且つ、前記覆い部の左右の外壁面から垂直に延びて形成された門型把体の右枠体及び左枠体の中間部分にそれぞれ取り付けられたピンを支点として、前記右枠体及び左枠体を挟むように回動する右挟持片及び左挟持片と、前記覆い部の上部前縁に取り付けられたピンを支点として該上部前縁を挟むように回動する上部挟持片とを備え、
前記ゴミ袋の開口部分が上記チリ取り本体の開口部の裏面側から挿入されて前記底板及び前記掃き入れ口を覆ったとき、該掃き入れ口は前記開口部を経由して前記ゴミ袋の奥部へ通じると共に、該ゴミ袋の開口部分は、前記右挟持片、前記左挟持片、及び前記上部挟持片の３箇所で挟持されるように構成されたことを特徴とするチリ取り装置。
【請求項３】
上記右挟持片、上記左挟持片、及び上記上部挟持片は、それぞれ、上記門型把体の右枠体、左枠体及び上記覆い部の上部前縁を挟み込むように断面がコの字状に形成されていることを特徴とする請求項１又は２記載のチリ取り装置。
【発明の詳細な説明】
【技術分野】
【０００１】
本発明は、ごみ収集作業の効率化を図ったチリ取り装置に関するものであり、特に、ゴミ袋の着脱可能なチリ取り装置に関するものである。
【背景技術】
【０００２】
一般的なチリ取りは、ゴミを掃いて収集したら、そのゴミをゴミ袋に回収している。従って、大量のゴミをチリ取りで掃いて収集する場合は、何回もゴミ袋へ回収しなければならないので、ゴミ収集用のチリ取りとしての使い勝手が極めて悪い。そこで、使い勝手の改善を図るために、小型チリ取りの底部に大きな穴を開けてその開口部にゴミ袋を取り付けた技術が開示されている（例えば、特許文献１参照）この技術によれば、小型チリ取りの底部に掃き入れ口と周囲枠だけを残す程度の大きな開口穴を空け、その開口穴の裏側からゴミ袋の開口部分を通して、該開口部分の周囲の縁をチリ取りの周囲枠に折り曲げる。さらに、ゴミ袋の開口部分の周囲の縁の折り曲げ部分とチリ取りの周囲枠とを一緒に輪ゴムなどでとめてゴミ袋を小型チリ取りに固定する。これによって、小型チリ取りで掃き取ったゴミは自動的にゴミ袋へ回収されるので、チリ取りとしての使い勝手がよくなる。
【０００３】
また、正方形の内枠とチリ取り付き外枠とによってゴミ袋の開口部分の周囲の縁を挟むことでチリ取りとゴミ袋とを一体化した技術も開示されている（例えば、特許文献２参照）。この技術によれば、正方形の内枠と、チリ取りが取り付けられた正方形のチリ取り付き外枠とを備え、内枠の開口穴からゴミ袋の開口部分を通して、該ゴミ袋の開口部分の周囲の縁を前記内枠の外側へ折り曲げた後、チリ取り付き外枠を前記内枠の外周にはめ込むことにより、外枠に付設されたチリ取りとゴミ袋とを一体化することができる。これによって、チリ取りで掃き取ったゴミはそのままゴミ袋に回収されるので、チリ取りとしての使い勝手がかなりよくなる。
【先行技術文献】
【特許文献】
【０００４】
【特許文献１】特開２００１−３５３１２０号公報
【特許文献２】特開２００８−１６２７９３号公報
【発明の概要】
【発明が解決しようとする課題】
【０００５】
しかしながら、上記特許文献１の技術は、ゴミ袋の開口部分の周囲の縁とチリ取りの周囲枠とを輪ゴム等で締めて一体的に固定する必要がある。そのため、ゴミ袋及びチリ取りとは別に輪ゴム等の弾性体を用意し、ゴミ袋の中身が一杯になったら、その都度、輪ゴム等を着脱してゴミ袋を交換する必要がある。従って、ゴミ袋の取替え作業が面倒であると共に、清掃作業中に輪ゴム等を紛失してしまうおそれがある。また、特許文献２の技術は、内枠とチリ取り付外枠とゴミ袋との３点の部品で構成されているので、チリ取り装置としての部品点数が多くなるために取り扱いが不便である。
【０００６】
そこで、チリ取り本体とゴミ袋の２つの部品のみで構成すると共に、チリ取り本体にゴミ袋を簡単に着脱することができるようなチリ取り装置を実現するめに解決すべき技術的課題が生じてくるのであり、本発明はこの課題を解決することを目的とする。
【課題を解決するための手段】
【０００７】
本発明は上記目的を達成するために提案されたものであり、請求項１記載の発明は、ゴミ袋がチリ取り本体に対して着脱可能なチリ取り装置であって、前記チリ取り本体は、掃き入れ口から奥部へ延びる底板及び該底板を覆う覆い部の後部に開口部が形成され、且つ、前記覆い部の左右の外壁面から垂直に延びて形成された門型把体の右枠体及び左枠体の中間部分にそれぞれ取り付けられたピンを支点として、前記右枠体及び左枠体を挟むように回動する右挟持片及び左挟持片と、前記覆い部の上部前縁に取り付けられたピンを支点として該上部前縁を挟むように回動する上部挟持片とを備え、前記ゴミ袋が前記チリ取り本体の裏面側から前記覆い部を覆ったとき、前記チリ取り本体の掃き入れ口は、前記開口部を経由して前記ゴミ袋の奥部へ通じると共に、該ゴミ袋の開口部分は、前記右挟持片、前記左挟持片、及び前記上部挟持片の３箇所で挟持されるように構成されたことを特徴とするチリ取り装置を提供する。
【０００８】
この構成によれば、ゴミ袋が裏面側からチリ取り本体の覆い部を覆った後に、該ゴミ袋の開口部分の縁を掃き入れ口の裏側から底板の表面側へ折り曲げている。さらに、ゴミ袋の開口部分の左右の縁は、それぞれ、門型把体の右枠体と右挟持片、及び該門型把体の左枠体と左挟持片とによって挟持される。また、ゴミ袋の開口部分の上部の縁は、覆い部の上部前縁と上部挟持片とによって挟持される。これによって、ゴミ袋の開口部分の縁はチリ取り本体の３箇所で挟持されると共に、前記ゴミ袋は前記チリ取り本体から容易に着脱することができるので、チリ取り装置によるゴミの掃き取りとゴミ袋への収集とを一環作業で効率的に行うことができる。
【０００９】
請求項２記載の発明は、ゴミ袋がチリ取り本体に対して着脱可能なチリ取り装置であって、前記チリ取り本体は、掃き入れ口から奥部へ延びる底板及び該底板を覆う覆い部の後部に開口部が形成され、且つ、前記覆い部の左右の外壁面から垂直に延びて形成された門型把体の右枠体及び左枠体の中間部分にそれぞれ取り付けられたピンを支点として、前記右枠体及び左枠体を挟むように回動する右挟持片及び左挟持片と、前記覆い部の上部前縁に取り付けられたピンを支点として該上部前縁を挟むように回動する上部挟持片とを備え、前記ゴミ袋の開口部分が上記チリ取り本体の開口部の裏面側から挿入されて前記底板及び前記掃き入れ口を覆ったとき、該掃き入れ口は前記開口部を経由して前記ゴミ袋の奥部へ通じると共に、該ゴミ袋の開口部分は、前記右挟持片、前記左挟持片、及び前記上部挟持片の３箇所で挟持されるように構成されたことを特徴とするチリ取り装置を提供する。
【００１０】
この構成によれば、ゴミ袋の開口部分をチリ取り本体の開口部の裏面側から挿入して該チリ取り本体の底板を覆った後に、該小型ゴミ袋の開口部分を掃き入れ口の表面側から裏面側へ折り曲げている。さらに、ゴミ袋の開口部分の左右の縁は、それぞれ、門型把体の右枠体と右挟持片、及び該門型把体の左枠体と左挟持片とによって挟持されている。また、ゴミ袋の開口部分の上部の縁は、覆い部の上部前縁と上部挟持片とによって挟持されている。これによって、ゴミ袋は、チリ取り本体の３箇所で挟持されると共に、前記ゴミ袋は前記チリ取り本体から容易に着脱することができるので、チリ取り装置によるゴミの掃き取りとゴミ袋への収集とを一括して効率的に行うことができる。
【００１１】
請求項３記載の発明は、上記右挟持片、上記左挟持片、及び上記上部挟持片は、それぞれ、上記門型把体の右枠体、左枠体及び上記覆い部の上部前縁を挟み込むように、断面がコの字状に形成されていることを特徴とする請求項１又は２記載のチリ取り装置を提供する。
【００１２】
この構成によれば、右挟持片、左挟持片、及び上部挟持片の断面は、それぞれ、コの字状に形成されているので、ゴミ袋の開口部分の左右の縁及び上部の縁を、門型把体の右枠体、左枠体及び覆い部の上部前縁に対して強固に挟持することができる。しかも、右挟持片、左挟持片、及び上部挟持片を回動させれば、ゴミ袋の開口部分の３箇所の縁を容易にチリ取り本体から取り外すことができる。
【発明の効果】
【００１３】
請求項１記載の発明は、ゴミ袋をチリ取り本体の裏面側から覆い部を被せた後、該ゴミ袋の開口部分の左右の縁を、それぞれ、門型把体の右枠体と右挟持片、及び該門型把体の左枠体と左挟持片とで挟持することができる。さらに、前記ゴミ袋の開口部分の上部の縁を覆い部の上部前縁と上部挟持片とで挟持することができる。このようにして、チリ取り本体に対してゴミ袋の開口部分の３箇所を挟持することができると共に、チリ取り本体からゴミ袋を容易に着脱することができるので、ゴミの掃き取りとゴミ袋への収集とを一工程で効率的に行うことが可能となる。従って、使い勝手のよいチリ取り装置を提供することができる。
【００１４】
請求項２記載の発明は、ゴミ袋の開口部分をチリ取り本体の開口部の裏面側から挿入した後、ゴミ袋の開口部分の左右の縁は、それぞれ、門型把体の右枠体と右挟持片、及び該門型把体の左枠体と左挟持片とによって挟持されている。また、ゴミ袋の開口部分の上部の縁は、覆い部の上部前縁と上部挟持片とによって挟持されている。これによって、ゴミ袋の開口部分の縁はチリ取り本体の３箇所で挟持されると共に、前記ゴミ袋は前記チリ取り本体から容易に着脱することができるので、チリ取り装置によるゴミの掃き取りとゴミ袋への収集とを一括して効率的に行うことができる。
【００１５】
請求項３記載の発明は、右挟持片、左挟持片、及び上部挟持片の断面は、それぞれ、コの字状に形成されているので、請求項１又は２記載の発明の効果に加えて、ゴミ袋の開口部分の左右の縁及び上部の縁を、門型把体の右枠体、左枠体及び覆い部の上部前縁に対して強固に挟持することが可能となる。しかも、右挟持片、左挟持片、及び上部挟持片を回動させれば、ゴミ袋の開口部分の３箇所の縁をチリ取り本体から容易に取り外すことができる。
【図面の簡単な説明】
【００１６】
【図１】本発明に係るチリ取り本体の構成を示す斜視図。
【図２】図１に示すチリ取り本体にゴミ袋を取り付けた実施例１のチリ取り装置の構成を示す斜視図。
【図３】図２のＡ−Ａ矢視断面図。
【図４】図１に示すチリ取り本体にゴミ袋を取り付けた実施例２のチリ取り装置の構成を示す斜視図。
【図５】図４のＢ−Ｂ矢視断面図。
【発明を実施するための形態】
【００１７】
本発明は、チリ取り本体とゴミ袋の２つの部品のみで構成すると共に、チリ取り本体にゴミ袋を簡単に着脱することができるようなチリ取り装置を実現するという目的を達成するために、チリ取り本体に対してゴミ袋が着脱可能なチリ取り装置であって、前記チリ取り本体は、掃き入れ口から奥部へ延びる底板及び該底板を覆う覆い部の後部に開口部が形成され、且つ、前記覆い部の左右の外壁面から垂直に延びて形成された門型把体の右枠体及び左枠体の中間部分にそれぞれ取り付けられたピンを支点として、前記右枠体及び左枠体を挟むように回動する右挟持片及び左挟持片と、前記覆い部の上部前縁に取り付けられたピンを支点として該上部前縁を挟むように回動する上部挟持片とを備え、前記ゴミ袋が前記チリ取り本体の裏面側から前記覆い部を覆ったとき、前記チリ取り本体の掃き入れ口は、前記開口部を経由して前記ゴミ袋の奥部へ通じると共に、該ゴミ袋の開口部分は、前記右挟持片、前記左挟持片、及び前記上部挟持片の３箇所で挟持されるように構成することによって実現した。
【実施例１】
【００１８】
以下、本発明の好適な実施例を図１乃至図５に従って説明する。図１は、本発明に係るチリ取り本体の構成を示す斜視図である。先ず、図１を用いて本発明に係るチリ取り本体の構成について説明する。図１に示すように、チリ取り本体１は、掃き入れ口２を含む底板３と、該底板３の左右及び上部を覆う覆い部４と、該底板３及び覆い部４の後部側に形成された開口部５と、前記覆い部４の左右の外壁面に両端が固定されると共に、該覆い部４の左右の外壁面から右枠体６ａ及び左枠体６ｂが垂直に延在されて上部が門型に形成された門型把体６と、門型把体６の両サイドの右枠体６ａと左枠体６ｂとを一定幅に保持させるために、該門型把体６の両サイドの右枠体６ａと左枠体６ｂとの間に固定された補強部材７と、前記門型把体６の上部の門型部分に取り付けられた把手８と、前記門型把体６の右枠体６ａと左枠体６ｂのそれぞれの中間部分に各々取り付けられた左右のピン９ａ、９ｂをそれぞれの支点として、該門型把体６の右枠体６ａ及び左枠体６ｂをそれぞれ挟むように回動する右挟持片１０ａ及び左挟持片１０ｂと、前記覆い部４の上部前縁４ａに取り付けられたピン９ｃを支点とし、該覆い部４の上部前縁４ａを挟むように回動する上部挟持片１０ｃとによって構成されている。
【００１９】
尚、右挟持片１０ａ及び左挟持片１０ｂの断面形状は、門型把体６の右枠体６ａ及び左枠体６ｂをそれぞれ挟むようにコの字状に形成されている。また、上部挟持片１０ｃの断面形状は、覆い部４の上部前縁４ａを挟むようにコの字状に形成されている。
【００２０】
このような構成のチリ取り本体１で特徴とする構成要素は、チリ取り本体１の底板３及び覆い部４の後部が開口部５によって開口されている点と、門型把体６の右枠体６ａ及び左枠体６ｂの中間部分にそれぞれ取り付けられた左右のピン９ａ、９ｂを各支点として、該門型把体６の右枠体６ａ及び左枠体６ｂをそれぞれ挟み込むように回動する右挟持片１０ａ及び左挟持片１０ｂを備えた点と、覆い部４の上部前縁４aに取り付けられたピン９ｃを支点として、該覆い部４の上部前縁４ａを挟み込むように回動する上部挟持片１０ｃを備えた点である。
【００２１】
図２は、図１に示すチリ取り本体にゴミ袋を取り付けた実施例１のチリ取り装置の構成を示す斜視図である。また、図３は、図２のＡ−Ａ矢視断面図である。従って、図２及び図３を用いて、本発明の実施例１に係るチリ取り装置１１ａの構成について説明する。尚、図２において、チリ取り本体１は図１と同じ構成であるので、同一の構成要素は同じ符号を付して重複する説明は省略する。すなわち、図２に示すように、チリ取り装置１１ａは、チリ取り本体１と、該チリ取り本体１を覆い被せるように取り付けられたゴミ袋１２とによって構成されている。
【００２２】
さらに詳しく説明すると、図２において、チリ取り本体１の後部に形成された開口部５の裏面側から、ゴミ袋１２の開口部分を覆い部４に覆い被せて、該ゴミ袋１２を前記チリ取り本体１の前面側へ引き出し、該ゴミ袋１２の開口部分の下部を掃き入れ口２で内側に折り曲げ、さらに、該ゴミ袋１２の開口部分の下部を底板３の中間位置付近まで引き出す。そして、該ゴミ袋１２の開口部分の左右の縁を、それぞれ、門型把体６の右枠体６ａ及び左枠体６ｂに沿って内側へ折り曲げる。
【００２３】
このとき、門型把体６の右枠体６ａの中間部分に取り付けられたピン９ａを支点として、右挟持片１０ａを門型把体６の右枠体６ａのａ位置からｂ位置へ引き離すように持ち上げる。そして、ゴミ袋１２の開口部分の右側の縁を門型把体６の右枠体６ａに沿わせた状態で、前記右挟持片１０ａをｂ位置からａ位置へ戻して門型把体６の右枠体６ａにはめ込む。これによって、ゴミ袋１２の開口部分の右側の縁は、前記右挟持片１０ａと門型把体６の右枠体６ａとで挟まれて、前記門型把体６の右枠体６ａに固定される。
【００２４】
同様にして、門型把体６の左枠体ｂの中間部分に取り付けられたピン９ｂを支点として、左挟持片１０ｂを門型把体６の左枠体６ｂのａ位置からｂ位置へ引き離すように持ち上げる。そして、ゴミ袋１２の開口部分の左側の縁を門型把体６の左枠体６ｂに沿わせた状態で、前記左挟持片１０ｂをｂ位置からａ位置へ戻して門型把体６の左枠体６ｂへはめ込む。これによって、ゴミ袋１２の開口部分の左側の縁は、前記左挟持片１０ｂと門型把体６の左枠体６ｂとで挟まれて、前記門型把体６の左枠体６ｂに固定される。
【００２５】
さらに、覆い部４の上部前縁４ａに取り付けられたピン９ｃを支点として、該覆い部４の上部前縁４ａに取り付けられた上部挟持片１０ｃを、該上部前縁４ａの位置から引き離すように回動させる。そして、ゴミ袋１２の開口部分の上側の縁を前記覆い部４の上部前縁４ａに沿わせた状態で、前記上部挟持片１０ｃを元の位置へ戻して前記覆い部４の上部前縁４ａにはめ込む。これによって、ゴミ袋１２の開口部分の上側の縁は、前記上部挟持片１０ａと前記覆い部４の上部前縁４ａとによって挟まれ、該覆い部４の上部前縁４ａに固定される。
【００２６】
このようにして、ゴミ袋１２の開口部分の下側の縁は、チリ取り本体１の掃き入れ口２から該チリ取り本体１の底板３の表面側へ折れ曲がり、該ゴミ袋１２の開口部分の左右の縁は、それぞれ、前記門型把体６の左枠体６ａ及び右枠体６ｂに固定され、且つ、該ゴミ袋１２の開口部分の上側の縁は、覆い部４の上部前縁４ａに固定される。これによって、ゴミ袋１２開口部分の下側がチリ取り本体１の開口部５から奥部へ通じた状態となり、該ゴミ袋１２の開口部分の左側、右側及び上側の３箇所の縁がチリ取り本体１に固定された状態となる。従って、チリ取り本体１の掃き入れ口２から掃き込まれたゴミは、該チリ取り本体１の開口部５から次々とゴミ袋１２の内部へ収集される。
【００２７】
すなわち、図３のチリ取り装置１１ａの断面図に示すように、ゴミ袋１２は、チリ取り本体１の覆い部４を覆い被せて掃き入れ口２で折り曲げ、ゴミ袋１２の開口部分１２ａの下側は底板３のほぼ中間位置まで延びている。従って、ゴミ袋１２は開口部分１２ａからチリ取り本体１の開口部５へ通じた状態となるので、結果的に、チリ取り本体１の掃き入れ口２からゴミ袋１２の奥部へ通じた状態となる。これにより、チリ取り本体１の掃き入れ口２から掃き入れられたゴミは、次々とゴミ袋１２の内部へ収納することができる。
【００２８】
このようにして、チリ取り本体１の掃き入れ口２から掃き込まれたゴミがゴミ袋１２で一杯になったら、図２に示すように、門型把体６の右枠体６ａに取り付けられたピン９ａを支点として、右挟持片１０ａを門型把体６の右枠体６ａから引き離すように持ち上げて、ゴミ袋１２の開口部分の右側の縁を門型把体６の右枠体６ａから取り外す。また、門型把体６の左枠体６ｂに取り付けられたピン９ｂを支点として、左挟持片１０ｂを門型把体６の左枠体６ｂから引き離すように持ち上げて、ゴミ袋１２の開口部分の左側の縁を門型把体６の左枠体６ｂから取り外す。さらに、覆い部４の上部前縁４ａに取り付けられたピン９ｃを支点として、該覆い部４の上部前縁４ａに取り付けられた上部挟持片１０ｃを該上部前縁４ａの位置から引き離すように回動させ、ゴミ袋１２の開口部分の上側の縁を覆い部４の上部前縁４ａから取り外す。このようにして、ゴミが一杯になったゴミ袋１２をチリ取り本体１から分離し、新しいゴミ袋１２をチリ取り本体１に装着することができる。
【００２９】
すなわち、本実施例のチリ取り装置１１ａは、３箇所の挟持片（すなわち、右挟持片１０ａ、左挟持片１０ｂ、及び上部挟持片１０ｃ）を回動させる操作を行うだけで、チリ取り本体１からゴミ袋１２を容易に交換することができるので、チリ取り装置１１ａの使い勝手が一段と向上する。
【実施例２】
【００３０】
前述の実施例１では、チリ取り本体１にゴミ袋１２を覆い被せたチリ取り装置１１ａの構成について述べたが、実施例２では、チリ取り本体１の開口部５の穴の裏側から、チリ取り本体１の内部へ、ゴミ袋１３を挿入させて装着したチリ取り装置１１ｂの構成について述べる。図４は、図１に示すチリ取り本体にゴミ袋を取り付けた実施例２のチリ取り装置の構成を示す斜視図である。また、図５は、図４のＢ−Ｂ矢視断面図である。従って、図４及び図５を用いて、本発明の実施例２に係るチリ取り装置１１ｂの構成について説明する。尚、図４において、チリ取り本体１は図１と同じ構成であるので、同一の構成要素は同じ符号を付して重複する説明は省略する。すなわち、図４に示すように、チリ取り装置１１ｂは、チリ取り本体１と、該チリ取り本体１の開口部５の穴の裏側から内部に挿入させたゴミ袋１３とによって構成されている。
【００３１】
さらに詳しく説明すると、図４において、チリ取り本体１の開口部５の裏面側からゴミ袋１３の開口部分を挿入して該チリ取り本体１の前面側へ引き出し、該ゴミ袋１３の開口部分の下部を掃き入れ口２で裏側に折り曲げる。そして、該ゴミ袋１３の開口部分の左右の縁を、それぞれ、門型把体６の右枠体６ａ及び左枠体６ｂに沿って外側へ折り曲げる。また、該ゴミ袋１３の開口部分の上部の縁を、覆い部４の上部前縁４ａに沿って外側へ折り曲げる。
【００３２】
このとき、門型把体６の右枠体６ａ及び左枠体６ｂの中間部分に取り付けられたそれぞれのピン９ａを支点として、右挟持片１０ａを門型把体６の右枠体６ａから引き離すように持ち上げる。そして、ゴミ袋１３の開口部分の右側の縁を、門型把体６の右枠体６ａの外側に折り曲げて沿わせた状態で、前記右挟持片１０ａを元の位置へ戻して門型把体６の右枠体６ａにはめ込む。これによって、ゴミ袋１３の開口部分の右側の縁は、前記右挟持片１０ａと門型把体６の右枠体６ａとによって挟まれ、前記門型把体６の右枠体６ａに固定される。
【００３３】
同様にして、門型把体６の左枠体６ｂの中間部分に取り付けられたピン９ｂを支点として、左挟持片１０ｂを門型把体６の左枠体６ｂから引き離すように持ち上げる。そして、ゴミ袋１３の開口部分の左側の縁を、門型把体６の左枠体６ｂの外側に折り曲げて沿わせた状態で、前記左挟持片１０ｂを元の位置へ戻して門型把体６の左枠体６ｂにはめ込む。これによって、ゴミ袋１３の開口部分の左側の縁は、前記左挟持片１０ａと門型把体６の左枠体６ｂとによって挟まれ、前記門型把体６の左枠体６ｂに固定される。
【００３４】
さらに、覆い部４の上部前縁４ａに取り付けられたピン９ｃを支点として、該覆い部４の上部前縁４ａに取り付けられた上部挟持片１０ｃを、該上部前縁のａ位置からｂ位置へ引き離すように回動させる。次に、ゴミ袋１３の開口部分の上側の縁を、前記覆い部４の上部前縁４ａの外側に折り曲げて沿わせた状態で、前記上部挟持片１０ｃをｂ位置からａ位置へ戻して前記覆い部４の上部前縁４ａにはめ込む。これによって、ゴミ袋１３の開口部分の上側の縁は、前記上部挟持片１０ａと前記覆い部４の上部前縁４ａとによって挟まれ、該覆い部４の上部前縁４ａに固定される。
【００３５】
このようにして、ゴミ袋１３の開口部分の下側の面は、チリ取り本体１の掃き入れ口２から該チリ取り本体１の底板３の裏面側へ折れ曲がり、該ゴミ袋１３の開口部分の左右の縁は、それぞれ門型把体６の右枠体６ａ及び左枠体６ｂに固定され、且つ、該ゴミ袋１３の開口部分の上側の縁は、前記覆い部４の上部前縁４ａに固定される。これによって、ゴミ袋１３の開口部分の下面がチリ取り本体１の開口部５から奥部へ通じた状態となり、該ゴミ袋１３の開口部分の左側、右側及び上側の３箇所の縁が、チリ取り本体１に固定された状態となる。従って、チリ取り本体１の掃き入れ口２から掃き込まれたゴミは、該チリ取り本体１の開口部５から次々とゴミ袋１３の内部へ収集される。
【００３６】
すなわち、ゴミ袋１３の開口部分の下側の面は、チリ取り本体１の掃き入れ口２から裏側へ折れ曲がり、且つ、該ゴミ袋１２の開口部分の左右の縁は、それぞれ、門型把体６の右枠体６ａ及び左枠体６ｂで固定され、該ゴミ袋１２の開口部分の上側の縁は、覆い部４の上部前縁４ａで固定される。従って、ゴミ袋１３は、開口部分の３箇所の縁がチリ取り本体１に固定され、該チリ取り本体１の開口部５から奥部へ通じた状態となるので、チリ取り本体１の掃き入れ口２から掃き込まれたゴミは、開口部５から次々とゴミ袋１３の奥部へ収集される。
【００３７】
言い換えると、図５のチリ取り装置１１ｂの断面図に示すように、ゴミ袋１３の開口部分はチリ取り本体１の掃き入れ口２で裏側へ折り曲げられ、該ゴミ袋１３の内部は、チリ取り本体１の底板３の表面に沿って開口部５へ通じ、さらに該開口部５をくぐり抜けて該ゴミ袋１３の底部まで延びている。さらに、ゴミ袋１３の開口部分の３箇所の縁がチリ取り本体１に固定された状態となっている。従って、チリ取り本体１の掃き入れ口２から掃き入れられたゴミは次々とゴミ袋１３の内部へ収集される。
【００３８】
このようにして、チリ取り本体１の掃き入れ口２から掃き込まれたゴミがゴミ袋１３で一杯になったら、図４に示すように、門型把体６の右枠体６ａに取り付けられたピン９ａを支点として、右挟持片１０ａを門型把体６の右枠体６ａから引き離すように持ち上げて、ゴミ袋１３の開口部分の右側の縁を門型把体６の右枠体６ａから取り外す。また、門型把体６の左枠体６ｂに取り付けられたピン９ｂを支点として、左挟持片１０ｂを門型把体６の左枠体６ｂから引き離すように持ち上げて、ゴミ袋１３の開口部分の左側の縁を門型把体６の左枠体６ｂから取り外す。さらに、覆い部４の上部前縁４ｂに取り付けられたピン９ｃを支点として、該覆い部４の上部前縁４ａに取り付けられた上部挟持片１０ｃを該上部前縁４ａの位置から引き離すように回動させ、ゴミ袋１３の開口部分の上部の縁を覆い部４の上部前縁４ｂから取り外す。このようにして、ゴミが一杯になったゴミ袋１３をチリ取り本体１から分離し、新しいゴミ袋１３をチリ取り本体１に装着することができる。
【００３９】
すなわち、本実施例のチリ取り装置１１ｂは、３箇所の挟持片（すなわち、右挟持片１０ａ、左挟持片１０ｂ、及び上部挟持片１０ｃ）を回動させる操作を行うだけで、チリ取り本体１からゴミ袋１３を容易に着脱して交換することができるので、チリ取り装置１１ｂの使い勝手が一段と向上する。
【００４０】
なお、本発明は、本発明の精神を逸脱しない限り種々の改変を為すことができ、そして、本発明が該改変されたものに及ぶことは当然である。
【産業上の利用可能性】
【００４１】
本発明のチリ取り装置は、チリ取り本体にゴミ袋が一体的に取り付けられて容易に着脱することができるので、家庭用として利用できることは勿論であるが、特に、大量のゴミ掃き処理を行うような、公共施設、工場、事務所などにおいて有効に利用することができる。
【符号の説明】
【００４２】
１  チリ取り本体
２  掃き入れ口
３  底板
４  覆い分
４ａ  上部前縁
５  開口部
６  門型把体
６ａ  右枠体
６ｂ  左枠体
７  補強部材
８  把手
９ａ、９ｂ、９ｃ  ピン
１０ａ  右挟持片
１０ｂ  左挟持片
１０ｃ  上部挟持片
１１ａ、１１ｂ  チリ取り装置
１２、１３  ゴミ袋
１２ａ  開口部分
【図１】
2011147568.tif 000003
【図２】
2011147568.tif 000004
【図３】
2011147568.tif 000005
【図４】
2011147568.tif 000006
【図５】
2011147568.tif 000007